(57)【特許請求の範囲】
【請求項１】
筐体の側面部に検出領域を有し、検出領域への接触量に応じた検出値を出力する側面センサと、
前記側面センサからの検出値に基づいて側面部に接触している指を推定する推定部と
を備え、
前記側面センサは、夫々の側面部に１つずつ配置され、
前記推定部は、
検出値が最大の前記側面センサを配した側面部を第１側面部と認定し、前記第１側面部に対向する側面部を第２側面部と認定する側面部認定部と、
前記第２側面部に接触している指を親指であると判定し、前記第１側面部に接触している指を親指以外の指であると判定する指判定部と
を有する電子機器。
【請求項２】
筐体の側面部に検出領域を有し、検出領域への接触量に応じた検出値を出力する側面センサと、
前記側面センサからの検出値に基づいて側面部に接触している指を推定する推定部と
を備え、
前記側面センサは、夫々の側面部に１つずつ配置され、
前記推定部は、
経時的な検出値の増減率が最大の前記側面センサを配した側面部を第２側面部と認定し、前記第２側面部に対向する側面部を第１側面部と認定する側面部認定部と、
前記第２側面部に接触している指を親指であると判定し、前記第１側面部に接触している指を親指以外の指であると判定する指判定部と
を有する電子機器。
【請求項３】
筐体の側面部に検出領域を有し、検出領域への接触量に応じた検出値を出力する側面センサと、
前記側面センサからの検出値に基づいて側面部に接触している指を推定する推定部と
を備え、
前記側面センサは、夫々の側面部に１つずつ配置され、
夫々の検出領域は、
側面部の長手方向の位置に応じて短手方向の長さが異なる形状であって、
前記推定部は、
経時的な検出値の増減率が最大の前記側面センサを配した側面部を第２側面部と認定し、前記第２側面部に対向する側面部を第１側面部と認定する側面部認定部と、
前記第２側面部に接触している指を親指であると判定し、前記第１側面部に接触している指を親指以外の指であると判定する指判定部と
を有する電子機器。
【請求項４】
請求項１から請求項３のいずれか一項に記載の電子機器において、
所定の指による筐体への接触を入力操作として受け付ける操作受付部を更に備え、
前記操作受付部は、
前記所定の指による側面部への接触が前記推定部によって推定された場合、以後、当該側面部の検出領域への接触を入力操作として受け付ける
電子機器。
【請求項５】
請求項１から請求項４のいずれか一項に記載の電子機器において、
筐体の背面部に検出領域を有し、背面部の検出領域への接触量に応じた検出値を出力する背面センサを更に備え、
前記側面部認定部は、
前記側面センサ及び前記背面センサの検出値に基づいて、前記第１側面部及び前記第２側面部を認定する
電子機器。
【発明の詳細な説明】
【技術分野】
【０００１】
本発明は、電子機器に関するものである。
【背景技術】
【０００２】
従来、筐体の側面部にタッチセンサを備える電子機器が知られている（例えば、特許文献１参照）。特許文献１に例示された携帯電話機の場合、各側面部に１つずつ合計４つのタッチセンサを備えている。
【先行技術文献】
【特許文献】
【０００３】
【特許文献１】特開２０１０−２３１６５３号公報
【発明の概要】
【発明が解決しようとする課題】
【０００４】
しかしながら、特許文献１の技術では、夫々の側面部に接触している指を知ることができないという問題がある。
本発明は、側面部に接触している指を推定する技術を提供する。
【課題を解決するための手段】
【０００５】
上記問題を解決するために、本発明の一態様である電子機器は、筐体の側面部に検出領域を有し、検出領域への接触量に応じた検出値を出力する側面センサと、前記側面センサからの検出値に基づいて側面部に接触している指を推定する推定部とを備え、前記側面センサは、夫々の側面部に１つずつ配置され、前記推定部は、検出値が最大の前記側面センサを配した側面部を第１側面部と認定し、前記第１側面部に対向する側面部を第２側面部と認定する側面部認定部と、前記第２側面部に接触している指を親指であると判定し、前記第１側面部に接触している指を親指以外の指であると判定する指判定部とを有することを特徴とする。
【０００６】
上記問題を解決するために、本発明の一態様である電子機器は、筐体の側面部に検出領域を有し、検出領域への接触量に応じた検出値を出力する側面センサと、
前記側面センサからの検出値に基づいて側面部に接触している指を推定する推定部と
を備え、
前記側面センサは、夫々の側面部に１つずつ配置され、
前記推定部は、
経時的な検出値の増減率が最大の前記側面センサを配した側面部を第２側面部と認定し、前記第２側面部に対向する側面部を第１側面部と認定する側面部認定部と、
前記第２側面部に接触している指を親指であると判定し、前記第１側面部に接触している指を親指以外の指であると判定する指判定部と
を有することを特徴とする。
【０００７】
上記問題を解決するために、本発明の一態様である電子機器は、筐体の側面部に検出領域を有し、検出領域への接触量に応じた検出値を出力する側面センサと、
前記側面センサからの検出値に基づいて側面部に接触している指を推定する推定部と
を備え、
前記側面センサは、夫々の側面部に１つずつ配置され、
夫々の検出領域は、
側面部の長手方向の位置に応じて短手方向の長さが異なる形状であって、
前記推定部は、
経時的な検出値の増減率が最大の前記側面センサを配した側面部を第２側面部と認定し、前記第２側面部に対向する側面部を第１側面部と認定する側面部認定部と、
前記第２側面部に接触している指を親指であると判定し、前記第１側面部に接触している指を親指以外の指であると判定する指判定部と
を有することを特徴とする。
【発明の効果】
【００１２】
本発明によれば、側面部に接触している指を推定することができる。
【図面の簡単な説明】
【００１３】
【図１】本発明の第１の実施形態による電子機器１の外観模式図である。
【図２】電子機器１の機能ブロック図の一例である。
【図３】記憶部４００に記憶される情報の一例である。
【図４】側面部認定部２１０の第１の処理態様を説明するための説明図である。
【図５】側面部認定部２１０の第１の処理態様を説明するための説明図である。
【図６】電子機器１の処理の流れを示すフローチャートの一例である。
【図７】側面部推定部２１０の第２の処理態様を説明するための説明図である。
【図８】側面部推定部２１０の第２の処理態様を説明するための説明図である。
【図９】側面部推定部２１０の第３の処理態様を説明するための説明図である。
【図１０】側面部推定部２１０の第３の処理態様を説明するための説明図である。
【図１１】本発明の第２の実施形態による電子機器２の外観模式図である。
【図１２】電子機器２の機能ブロック図の一例である。
【図１３】側面部推定部２１２の処理を説明するための説明図である。
【図１４】電子機器２の処理の流れを示すフローチャートの一例である。
【図１５】電子機器２の他の例を説明する説明図である。
【図１６】側面部推定部２１２の処理を説明するための説明図である。
【図１７】本発明の第３の実施形態による電子機器３を説明するための説明図である。
【図１８】電子機器３の機能ブロック図の一例である。
【発明を実施するための形態】
【００１４】
（第１の実施形態）
以下、図面を参照しながら本発明の第１の実施形態について説明する。図１は、本発明の第１の実施形態による電子機器１の外観模式図である。図１において、符号１１は表示画面である。即ち、図１（ａ）は表示画面１１を手前側にして立てた状態の斜視図、図１（ｂ）は表示画面１１を上にして寝かせた状態の斜視図、図１（ｃ）は表示画面１１を下にして寝かせた状態の斜視図である。
【００１５】
電子機器１は、図１（ａ）〜（ｃ）に示すように、前面部１０、側面部２０、３０、４０、５０及び背面部６０を有する。前面部１０及び背面部６０は正方形であって、電子機器１は、外形上、上下左右の区別なく使用される。後述する電子機器２、３についても同様である。
側面部２０上の符号１２０Ｒは、側面センサ１２０（図２参照）の検出領域である。側面部３０上の符号１３０Ｒ、側面部４０上の符号１４０Ｒ、及び、側面部５０上の符号１５０Ｒについても同様である。
【００１６】
図２は、電子機器１の機能ブロック図の一例である。図３は、記憶部４００に記憶される情報の一例である。図３は、記憶部４００に記憶される情報の一例である。
電子機器１は、また、図２に示すように、センサ部１００、推定部２００、操作受付部３００及び記憶部４００を備える。センサ部１００は、複数の側面センサ（側面センサ１２０、１３０、１４０、１５０）から構成されている。
側面センサ１２０は、検出領域１２０Ｒ（図１参照）への接触量に応じた検出値を推定部２００及び操作受付部３００に出力する。側面センサ１３０は、検出領域１３０Ｒ（図１参照）への接触量に応じた検出値を推定部２００及び操作受付部３００に出力する。側面センサ１４０は、検出領域１４０Ｒ（図１参照）への接触量に応じた検出値を推定部２００及び操作受付部３００に出力する。側面センサ１５０は、検出領域１５０Ｒ（図１参照）への接触量に応じた検出値を推定部２００及び操作受付部３００に出力する。
【００１７】
つまり、側面センサ１２０の構成は、検出領域１２０Ｒ内の接触位置を認識し、接触位置を特定する情報を検出値として出力する構成（接触位置に係る分解能を有する構成）ではなく、検出領域１２０Ｒ全体の接触量を認識し、接触量を１つの検出値として出力する構成（接触量に係る分解能を有する構成）である。換言すれば、側面センサ１２０は、検出領域１２０Ｒ上の何れかの接触位置における接触の有無を検出値として単に出力するのではなく、何れかの接触位置における接触の接触面積に応じた検出値を出力するように構成されている。側面センサ１３０、１４０、１５０についても同様である。また、後述する、他の側面センサ１２１、１２２−Ｘ、１３１、１３２−Ｘ、１４１、１４２−Ｘ、１５１、１５２−Ｘ、背面センサ１６１〜１６７についても同様である。
【００１８】
なお、側面センサ１２０の方式は、何れかの接触位置における接触の接触面積に応じた検出値を出力するものであれば、特に限定しない。
例えば、投影型静電容量方式とする場合、側面センサ１２０を構成する電極（電極数は１つ）を側面部２０の面の内側（内部）に配置する（検出領域１２０Ｒの位置及び形状は、内側に配置した電極の位置及び形状に依存する）。
側面部２０の面の内側に配置した電極の静電容量は、検出領域１２０Ｒ上への接触面積に応じて変化する。従って、側面センサ１２０は、当該検出領域１２０Ｒ上への接触面積に応じた検出値として、例えば、電極の静電容量又は電極間の電圧を出力する。側面センサ１３０、１４０、１５０についても同様である。また、後述する、他の側面センサ１２１、１２２−Ｘ、１３１、１３２−Ｘ、１４１、１４２−Ｘ、１５１、１５２−Ｘ、背面センサ１６１〜１６７についても同様である。
【００１９】
推定部２００は、側面センサ１２０、１３０、１４０、１５０から検出値を取得する。推定部２００は、側面センサ１２０、１３０、１４０、１５０から取得した検出値に基づいて側面部２０、３０、４０、５０に接触している指を推定する。即ち、推定部２００は、検出領域１２０Ｒ、１３０Ｒ、１４０Ｒ、１５０Ｒの夫々の接触量に基づいて、側面部２０、３０、４０、５０に接触している指を推定する。なお、推定部２００の処理の詳細については後述する。
【００２０】
操作受付部３００は、筐体への接触を入力操作として受け付ける。換言すれば、操作受付部は、センサ部１００から入力情報として検出値を受け付ける。
また、操作受付部３００は、所定の指による一の側面部（側面部２０、３０、４０、５０の何れかの側面部）への接触が推定部２００によって推定された場合には、以後、当該側面部の検出領域への接触を入力操作として受け付ける（他の検出領域への接触を無視する）。例えば、所定の指として記憶部４００に親指が定義され（後述）、かつ、親指による側面部５０への接触が推定部２００によって推定された場合、操作受付部２００は、以後、側面部５０上の検出領域１５０Ｒへの接触を入力操作として受け付ける。つまり、操作受付部３００は、所定の指である親指による接触が以後もなされると推定される側面部５０への操作を入力として受け付ける。
【００２１】
記憶部４００は、種々の情報を記憶する。例えば、記憶部４００は、操作受付部３００が入力操作として受け付ける所定の指に関する情報を記憶する。例えば、記憶部４００は、所定の指に関する情報として、電子機器１の動作状態を表したステータスＩＤと、電子機器１における各指の操作許否の組合せを表した拒否パターンＩＤとの関係（図３（ａ）参照）、及び、拒否パターンＩＤと拒否パターンとの関係（図３（ｂ））を記憶する。図３に示す例によれば、例えば、電子機器１の状態が、アプリケーション１の実行中における状態Ｂ（例えば、アラーム、メール受信通知等の割込発生状態）の場合（ステータスＩＤ「ＳＴ−１０２」）、操作受付部３００が入力操作として受け付ける所定の指として親指を定義している（許否パターンＩＤ「Ｐ２」）
【００２２】
（推定部２００の第１の処理態様）
図４及び図５は、側面部認定部２１０の第１の処理態様を説明するための説明図である。推定部２００は、図１に示すように、側面部認定部２１０及び指判定部２２０を備える。側面部認定部２１０は、検出値が最大の側面センサを配した側面部を第１側面部と認定し、第１側面部に対向する側面部（反対側の側面部）を第２側面部と認定する（第１の処理態様）。指判定部２２０は、第２側面部に接触している指を親指であると判定し、第１側面部に接触している指を親指以外の指であると判定する。
【００２３】
例えば、図４（ａ）の如く、ユーザが、前面部１０を手前側、側面部２０を上側にして、電子機器１を持った場合、側面部２０、３０、４０、５０上の接触状態は、例えば、図４（ｂ）に示すように表される。なお、「×」印は、接触位置を模式的に表したものである。「×」印の数は、接触量を表している。
【００２４】
側面部推定部２１０は、側面センサ１２０、１３０、１４０、１５０の夫々から検出値を取得し、各側面センサから取得した検出値を比較する。各側面センサの夫々から取得する検出値は、上述の如く、夫々の側面部（接触領域）への接触量に応じた値であるため、図４の例の場合、各側面センサの夫々から取得した検出値は、図５に示すような大小関係となる。続いて、側面部推定部２１０は、比較の結果、検出値が最大の側面センサを配した側面部を第１側面部と認定し、第１側面部に対向する位置関係にある側面部を第２側面部と認定する。例えば、図４の例の場合、側面部推定部２１０は、検出値が最大の側面センサ１３０を配した側面部３０を第１側面部と認定し、側面部３０に対向する位置関係にある側面部５０を第２側面部と認定する。
【００２５】
指判定部２２０は、第２側面部である側面部５０（検出領域１５０Ｒ）に接触している指を親指であると判定し、第１側面部である側面部３０（検出領域１３０Ｒ）に接触している指を親指以外の指であると判定する。
【００２６】
図６は、電子機器１の処理の流れを示すフローチャートの一例である。なお、図６に示すフローチャートは、側面部推定部２１０が上述の第１の処理態様にて処理を行う場合の処理の流れを示している。
【００２７】
側面部推定部２１０は、側面センサ１２０、１３０、１４０、１５０から接触量に応じた検出値を取得する（ステップＳ１０）。側面部推定部２１０は、検出値が最大の側面センサを配した側面部を第１側面部と認定し、第１側面部に対向する側面部を第２側面部と認定する（ステップＳ２０）。指判定部２２０は、第２側面部に接触している指を親指であると判定し、第１側面部に接触している指を親指以外の指であると判定する（ステップＳ３０）。
【００２８】
操作受付部３００は、指判定部２２０の判定結果と、記憶部４００に記憶された所定の指に関する情報とに基づいて、所定の指による筐体への接触を入力操作として受け付ける（ステップＳ４０）。例えば、操作受付部３００は、側面部５０に接触している指が親指であって、側面部３０に接触している指が親指以外の指である旨の判定情報を指判定部２２０から得るとともに、所定の指が親指である旨の定義情報を記憶部４００から得たときは、以後、側面部５０上の検出領域１５０Ｒへの接触を入力操作として受け付ける。そして、本フローチャートは終了する。
【００２９】
（推定部２００の第２の処理態様）
図７及び図８は、側面部認定部２１０の第２の処理態様を説明するための説明図である。側面部認定部２１０の第１の処理態様は、上述の如く、検出値の最大値に基づいて側面部を認定するものであったが、側面部認定部２１０の第２の処理態様は、検出値の増減率の最大値に基づいて側面部を認定するものである。なお、指判定部２２０の処理は、第１の処理態様と同一である。
【００３０】
側面部認定部２１０は、経時的な検出値の増減率が最大の側面センサを配した側面部を第２側面部と認定し、第２側面部に対向する側面部を第１側面部と認定する（第２の処理態様）。
【００３１】
例えば、図４（ａ）の状態から、側面部３０から離していた人差し指を付けたり離したりさせた場合（即ち、人差し指をタップさせた場合）、側面部３０上の接触状態は、例えば、図７（ｂ）の如く、経時的に変化する。また、図４（ａ）の状態から、側面部５０に付けていた親指を離したり付けたりさせた場合（即ち、親指をタップさせた場合）、側面部５０上の接触状態は、例えば、図７（ｄ）の如く、経時的に変化する。なお、「×」印の数の増減は、接触量の増減を表している。また、親指のタップの場合、及び、人差し指のタップの場合、側面部２０上の接触状態、側面部４０上の接触状態は、通常、図７（ａ）（ｃ）の如く、変化しない。
【００３２】
側面部推定部２１０は、第２の処理態様の場合、経時的に、側面センサ１２０、１３０、１４０、１５０の夫々から検出値を取得し、各側面センサから取得した検出値の増減率を算出する。図７の例の場合、各側面センサの検出値の増減率は、図８に示すような大小関係となる。なお、検出値の増減率の算出には種々の方法が考えられるが、例えば、側面部推定部２１０は、｛（「一定時間内の検出値の最大値」−「一定時間内の検出値の最小値」）／「一定時間内の検出値の最大値」｝を「検出値の増減率」としている（但し、最大値がゼロの場合はゼロ）。続いて、側面部推定部２１０は、算出の結果、検出値の増減率が最大の側面センサを配した側面部を第２側面部と認定し、第２側面部に対向する位置関係にある側面部を第１側面部と認定する。例えば、図８の例の場合、側面部推定部２１０は、検出値の増減率が最大の側面センサ１５０を配した側面部５０を第２側面部と認定し、側面部５０に対向する位置関係にある側面部３０を第１側面部と認定する。
【００３３】
指判定部２２０は、第２側面部である側面部５０（検出領域１５０Ｒ）に接触している指を親指であると判定し、第１側面部である側面部３０（検出領域１３０Ｒ）に接触している指を親指以外の指であると判定する。
【００３４】
（推定部２００の第３の処理態様）
図９及び図１０は、側面部認定部２１０の第３の処理態様を説明するための説明図である。図９（ａ）は表示画面１１を手前側にして立てた状態の斜視図、図９（ｂ）は各側面部２０、３０、４０、５０における検出領域、図９（ｃ）は、センサ部１０２の構成である。
側面部認定部２１０の第２の処理態様は、タップ時の検出値の増減率の最大値に基づいて側面部を認定するものであったが、側面部認定部２１０の第３の処理態様は、スライド時の検出値の増減率の最大値に基づいて側面部を認定するものである。なお、指判定部２２０の処理は、第１の処理態様と同一である。
【００３５】
第３の処理態様の場合、各側面センサの検出領域の形状は、第１、２の処理態様の場合の検出領域の形状とは異なる。即ち、各側面センサの検出領域の形状は、第１、第２の処理態様の場合、側面部の長手方向の位置によらず短手方向の長さが一定（例えば、図１の如く長方形）であってもよいが、第３の処理態様の場合には、側面部の長手方向の位置に応じて短手方向の長さが異なる。例えば、第３の処理態様の場合、各側面センサの検出領域は、図９（ａ）（ｂ）に示すような形状になる。
【００３６】
即ち、第３の処理態様の場合には、電子機器１は、検出領域１２０Ｒを有する側面センサ１２０、検出領域１３０Ｒを有する側面センサ１３０、検出領域１４０Ｒを有する側面センサ１４０及び検出領域１５０Ｒを有する側面センサ１５０を備えるセンサ部１００に代えて、図９（ｃ）に示すように、検出領域１２１Ｒを有する側面センサ１２１、検出領域１３１Ｒを有する側面センサ１３１、検出領域１４１Ｒを有する側面センサ１４１及び検出領域１５１Ｒを有する側面センサ１５１を備えるセンサ部１０２を備える。
【００３７】
検出領域１２１Ｒ、１３１Ｒ、１４１Ｒ、１５１Ｒは、スライド方向（長手方向）の位置に応じて、スライド方向と垂直方向（短手方向）の長さが異なるため、側面センサ１２１、１３１、１４１、１５１は、スライドに応じて変化する検出値を出力する。
【００３８】
例えば、図４（ａ）の状態から、側面部３０に人差し指を付けてスライドさせた場合（即ち、人差し指をスライドさせた場合）、側面部３０上の接触状態は、例えば、図１０（ａ）の如く、経時的に変化する。図１０（ａ）の場合、スライド時に、側面部３０への接触面積は変化しないが、検出領域１３１Ｒ上の接触面積は変化するため、スライドに応じて検出値は変化する。また、図４（ａ）の状態から、側面部５０に付けている親指をスライドさせた場合（即ち、親指をスライドさせた場合）、側面部５０上の接触状態は、例えば、図１０（ｂ）の如く、経時的に変化する。なお、図１０（ｂ）の場合には、スライド時に、検出領域１５１Ｒ上の接触面積に加え、側面部５０への接触面積も変化している。なお、図１０における、「×」印の数の増減は、接触量の増減を表している。
【００３９】
側面部推定部２１０は、第３の処理態様の場合、経時的に、側面センサ１２１、１３１、１４１、１５１の夫々から検出値を取得し、第２の処理態様と同様の方法を用いて、各側面センサから取得した検出値の増減率を算出する。続いて、側面部推定部２１０は、第２の処理態様、検出値の増減率が最大の側面センサを配した側面部を第２側面部と認定し、第２側面部に対向する位置関係にある側面部を第１側面部と認定する。
【００４０】
（第２の実施形態）
以下、図面を参照しながら本発明の第２の実施形態について説明する。図１１は、本発明の第２の実施形態による電子機器２の外観模式図である。図１１（ａ）は表示画面１１を手前側にして立てた状態の斜視図、図１１（ｂ）は表示画面１１を上にして寝かせた状態の斜視図、図１１（ｃ）は表示画面１１を下にして寝かせた状態の斜視図である。
【００４１】
電子機器２は、図１１（ａ）〜（ｃ）に示すように、第１の実施形態の電子機器１と同様、前面部１０、側面部２０、３０、４０、５０及び背面部６０を有する。また、電子機器２は、第１の実施形態（第１、２の処理態様）と同様、各側面部２０、３０、４０、５０に、検出領域１２０Ｒ、１３０Ｒ、１４０Ｒ、１５０Ｒを有する。
電子機器２は、背面部６０に、背面センサ１６１（図１２参照）の検出領域１６１Ｒ、背面センサ１６２（図１２参照）の検出領域１６２Ｒ、背面センサ１６３（図１２参照）の検出領域１６３Ｒを有する。検出領域１６１Ｒ（検出領域１６２Ｒ、検出領域１６３Ｒも同様）の形状は幅が段々と狭くなる形状（例えば、楔形、鋭角の三角形）である。
【００４２】
図１２は、電子機器２の機能ブロック図の一例である。
電子機器２は、また、図１２に示すように、センサ部１０４、推定部２０２、操作受付部３００及び記憶部４００を備える。操作受付部３００及び記憶部４００は、第１の実施形態の電子機器１が備えるものと同様である。センサ部１０４は、複数の側面センサ（側面センサ１２０、１３０、１４０、１５０、背面センサ１６１、１６２、１６３）から構成されている。側面センサ１２０、１３０、１４０、１５０は、第１の実施形態の電子機器１が備えるものと同様である。なお、電子機器２は、加速度センサ（非図示）を備える。
【００４３】
背面センサ１６１は、検出領域１６１Ｒ（図１１参照）への接触量に応じた検出値を推定部２０２及び操作受付部３００に出力する。背面センサ１６２は、検出領域１６２Ｒ（図１１参照）への接触量に応じた検出値を推定部２０２及び操作受付部３００に出力する。側面センサ１６３は、検出領域１６３Ｒ（図１１参照）への接触量に応じた検出値を推定部２０２及び操作受付部３００に出力する。
【００４４】
推定部２０２は、図１２に示すように、側面部認定部２１２及び指判定部２２０を備える。指判定部２２０は、第１の実施形態の電子機器１が備えるものと同様である。
側面部認定部２１２は、側面センサ１２０、１３０、１４０、１５０、背面センサ１６１、１６２、１６３から検出値を取得する。側面部認定部２１２は、側面センサ１２０、１３０、１４０、１５０、背面センサ１６１、１６２、１６３から取得した検出値に基づいて上述の第１側面部及び第２側面部側面部を認定する。
【００４５】
側面部認定部２１２は、例えば、側面センサ１２０、１３０、１４０、１５０から取得した検出値に基づいて第１側面部及び第２側面部側面部を仮認定し、背面センサ１６１、１６２、１６３から取得した検出値に基づいて電子機器２を持っている左右の手を判別し、仮認定の認定結果と左右の手の判別結果の整合性を判断し、整合状態である場合（又は、不整合状態でない場合）、仮認定の認定結果が妥当である判断する（仮認定の認定結果を以って第１側面部及び第２側面部側面部を認定する）。
【００４６】
図１３は、側面部推定部２１２の処理を説明するための説明図である。
以下、側面部推定部２１２の処理について詳しく説明する。側面部推定部２１２は、まず、側面センサ１２０、１３０、１４０、１５０から取得した検出値に基づいて第１側面部及び第２側面部側面部を仮認定する。なお、側面部推定部２１２による第１側面部及び第２側面部側面部の仮認定は、第１の実施形態の電子機器１の側面部推定部２１０による第１側面部及び第２側面部側面部の認定と同様の処理である。
【００４７】
続いて、側面部推定部２１２は、背面センサ１６１、１６２、１６３から取得した検出値に基づいて電子機器２を持っている左右の手を判別する。
例えば、図４（ａ）の如く、ユーザが、前面部１０を手前側、側面部２０を上側にして、電子機器２を左手で持った場合、人差し指側に位置する側面部３０側の接触領域の位置が親指側に位置する側面部５０側の接触領域の位置に比べ高くなるため、背面部６０上の接触部分は、図１３（ａ）の１点鎖線の下部として表される。一方、同じ向きにおいて右手で持った場合、人差し指側に位置する側面部５０側の接触領域の位置が親指側に位置する側面部３０側の接触領域の位置に比べ高くなるため、背面部６０上の接触部分は、図１３（ａ）の２点鎖線の下部として表される。
【００４８】
また、ユーザが、前面部１０を手前側、側面部５０を上側にして（図４（ａ）において前面部１０を基準に時計回りに９０度回転させた姿勢にて）、電子機器２を左手で持った場合、人差し指側に位置する側面部２０側の接触領域の位置が親指側に位置する側面部４０側の接触領域の位置に比べ高くなるため、背面部６０上の接触部分は、図１３（ｂ）の１点鎖線の下部として表される。一方、同じ向きにおいて右手で持った場合、人差し指側に位置する側面部４０側の接触領域の位置が親指側に位置する側面部２０側の接触領域の位置に比べ高くなるため、背面部６０上の接触部分は、図１３（ｂ）の２点鎖線の下部として表される。
また、ユーザが、前面部１０を手前側、側面部４０を上側にして、電子機器２を左手で持った場合、人差し指側に位置する側面部５０側の接触領域の位置が親指側に位置する側面部３０側の接触領域の位置に比べ高くなるため、背面部６０上の接触部分は、図１３（ｃ）の１点鎖線の下部として表される。一方、同じ向きにおいて右手で持った場合、人差し指側に位置する側面部３０側の接触領域の位置が親指側に位置する側面部５０側に比べ高くなるため、背面部６０上の接触部分は、図１３（ｃ）の２点鎖線の下部として表される。
また、ユーザが、前面部１０を手前側、側面部３０を上側にして（図４（ａ）において前面部１０を基準に反時計回りに９０度回転した姿勢にて）、電子機器２を左手で持った場合、人差し指側に位置する側面部４０側の接触領域の位置が親指側に位置する側面部２０側の接触領域の位置に比べ高くなるため、背面部６０上の接触部分は、図１３（ｄ）の１点鎖線の下部として表される。一方、同じ向きにおいて右手で持った場合、人差し指側に位置する側面部４０側の接触領域の位置が親指側に位置する側面部２０側の接触領域の位置に比べ高くなるため、背面部６０上の接触部分は、図１３（ｄ）の２点鎖線の下部として表される。
なお、側面部推定部２１２は、加速度センサの検出値に基づいて、電子機器２の姿勢（上側に位置する側面部）を判断する。
【００４９】
従って、側面部推定部２１２は、側面部２０が上側である場合、図１３（ａ）に示すように、背面センサ１６１の検出値＞背面センサ１６３の検出値であるときは電子機器２を左手で持っていると判別し、背面センサ１６３の検出値＞背面センサ１６１の検出値であるときは電子機器２を右手で持っていると判別する。同様に、側面部推定部２１２は、側面部４０が上側である場合、図１３（ｃ）に示すように、背面センサ１６３の検出値＞背面センサ１６１の検出値であるときは電子機器２を左手で持っていると判別し、背面センサ１６１の検出値＞背面センサ１６３の検出値であるときは電子機器２を右手で持っていると判別する。なお、側面部５０が上側である場合には、側面部推定部２１２は、図１３（ｂ）に示すように、電子機器２を持っている左右の手を判別できない。また、側面部３０が上側である場合には、側面部推定部２１２は、図１３（ｄ）に示すように、電子機器２を持っている左右の手を判別できない。
【００５０】
続いて、側面部推定部２１２は、仮認定の認定結果と左右の手の判別結果の整合性を判断する。例えば、側面部推定部２１２は、側面部３０を第１側面部（親指以外の指側）と仮認定し、側面部５０を第２側面部（親指側）と仮認定した場合において、前面部１０を手前側、側面部２０を上側にして、電子機器２を左手で持っていると判定した場合（図１３（ａ）において１点差線の下部が背面部６０の接触範囲であると判定した場合）、仮認定の認定結果、及び、左右の手の判別結果による親指側の位置は共に側面部５０側であって一致しているため、仮認定の認定結果と左右の手の判別結果とは整合していると判断する。一方、上述のように仮認定した場合において、前面部１０を手前側、側面部２０を上側にして、電子機器２を右手で持っていると判定した場合（図１３（ａ）において２点差線の下部が背面部６０の接触範囲であると判定した場合）、左右の手の判別結果による親指側の位置は側面部３０側であって仮認定の認定結果である側面部５０側と一致しないため、仮認定の認定結果と左右の手の判別結果とは整合していないと判断する。
【００５１】
図１４は、電子機器２の処理の流れを示すフローチャートの一例である。側面部推定部２１２は、側面センサ１２０、１３０、１４０、１５０から接触量に応じた検出値を取得する（ステップＳ１１０）。側面部推定部２１２は、背面センサ１６１、１６２、１６３から接触量に応じた検出値を取得する（ステップＳ１１２）。側面部推定部２１２は、側面センサ１２０、１３０、１４０、１５０からの検出値が最大の側面センサを配した側面部を第１側面部と仮認定し、第１側面部に対向する側面部を第２側面部と仮認定する（ステップＳ１２０）。
【００５２】
側面部推定部２１２は、背面センサ１６１、１６２、１６３、及び、加速度センサの検出値に基づいて、電子機器２を持っている左右の手を判別する（ステップＳ１２２）。なお、上述の如く、側面部推定部２１２は、電子機器２の姿勢によっては、左右の手を判別することができない場合がある（図１３（ｂ）（ｄ）の場合）。
【００５３】
側面部推定部２１２は、ステップＳ１２０における仮認定の認定結果と、ステップＳ１２２における左右の手の判別結果とが整合しているか否かを判断する（ステップＳ１２４）。なお、側面部推定部２１２は、ステップＳ１２２において左右の手を判別することができた場合であって、判別結果が認定結果と整合している場合に真（Ｙｅｓ）と判断する。一方、側面部推定部２１２は、ステップＳ１２２において左右の手を判別することができた場合であって、判別結果が認定結果と整合していない場合、及び、ステップＳ１２２において左右の手を判別することができなかった場合に、偽（Ｎｏ）と判断する。
【００５４】
操作受付部３００が真（Ｙｅｓ）と判断した場合（ステップＳ１２４：Ｙｅｓ）、指判定部２２０は、仮認定されている第２側面部に接触している指を親指であると判定し、仮認定されている第１側面部に接触している指を親指以外の指であると判定する（ステップＳ１３０）。ステップＳ１３０に続いて、操作受付部３００は、指判定部２２０の判定結果と、記憶部４００に記憶された所定の指に関する情報とに基づいて、所定の指による筐体への接触を入力操作として受け付ける（ステップＳ１４０）。そして、本フローチャートは終了する。
【００５５】
一方、操作受付部３００が偽（Ｎｏ）と判断した場合（ステップＳ１２４：Ｎｏ）、ステップＳ１３０、Ｓ１４０を飛ばして、本フローチャートは終了する。
【００５６】
なお、ステップＳ１２４において側面部推定部２１２は、仮認定の認定結果と左右の手の判別結果の整合性を判断し、整合状態である場合に真（Ｙｅｓ）と判断し、それ以外の場合には偽（Ｎｏ）と判断しているが、不整合状態である場合に偽（Ｎｏ）と判断し、それ以外の場合には真（Ｙｅｓ）と判断してもよい。つまり、側面部推定部２１２は、ステップＳ１２２において左右の手を判別することができなかった場合、ステップＳ１２４において真（Ｙｅｓ）と判断してもよい。
【００５７】
図１５は、電子機器２の他の例を説明する説明図である。図１５（ａ）は表示画面１１を下にして寝かせた状態、即ち、背面部６０を上にして寝かせた状態の斜視図である。図１５（ｂ）は、センサ部１０６の構成である。
電子機器２は、背面部６０に、検出領域１６１Ｒ、検出領域１６２Ｒ、検出領域１６３Ｒに代えて、図１５（ａ）に示すように、検出領域１６４Ｒ、検出領域１６５Ｒ、検出領域１６６Ｒ、検出領域１６７Ｒを有していてもよい。即ち、電子機器２は、検出領域１６１を有する背面センサ１６１、検出領域１６２Ｒを有する背面センサ１６２、及び、検出領域１６３Ｒを有する背面センサ１６３を備えるセンサ部１０４に代えて、図１５（ｂ）に示すように、検出領域１６４を有する背面センサ１６４、検出領域１６５Ｒを有する背面センサ１６５、検出領域１６６Ｒを有する背面センサ１６６、及び、検出領域１６７Ｒを有する背面センサ１６７を備えるセンサ部１０６を備えていてもよい。
【００５８】
図１６は、背面センサ１６４、１６５、１６６、１６７を備える場合における、側面部推定部２１２の処理を説明するための説明図である。
例えば、側面部推定部２１２は、側面部２０が上側である場合、図１６（ａ）に示すように、背面センサ１６５の検出値＞背面センサ１６７の検出値であるときは電子機器２を左手で持っていると判別し、背面センサ１６７の検出値＞背面センサ１６５の検出値であるときは電子機器２を右手で持っていると判別する。
同様に、側面部推定部２１２は、側面部５０が上側である場合、図１６（ｂ）に示すように、背面センサ１６４の検出値＞背面センサ１６６の検出値であるときは電子機器２を左手で持っていると判別し、背面センサ１６６の検出値＞背面センサ１６４の検出値であるときは電子機器２を右手で持っていると判別する。
同様に、側面部推定部２１２は、側面部４０が上側である場合、図１６（ｃ）に示すように、背面センサ１６７の検出値＞背面センサ１６５の検出値であるときは電子機器２を左手で持っていると判別し、背面センサ１６５の検出値＞背面センサ１６７の検出値であるときは電子機器２を右手で持っていると判別する。
同様に、側面部推定部２１２は、側面部３０が上側である場合、図１６（ｄ）に示すように、背面センサ１６７の検出値＞背面センサ１６５の検出値であるときは電子機器２を左手で持っていると判別し、背面センサ１６５の検出値＞背面センサ１６７の検出値であるときは電子機器２を右手で持っていると判別する。
【００５９】
以上のように、電子機器２は、背面センサ１６４、１６５、１６６、１６７を備える場合、側面部推定部２１２は、何れの側面部が上側の場合であっても、電子機器２を持っている左右の手を判別することができる。また、左右の手の判別ができることによって、側面部による仮認定の認定結果と左右の手の判別結果との整合性の判断の精度が向上するため、指判定の精度も向上する。
【００６０】
（第３の実施形態）
以下、図面を参照しながら本発明の第３の実施形態について説明する。図１７は、本発明の第３の実施形態による電子機器３を説明するための説明図である。図１７（ａ）は表示画面１１を手前側にして立てた状態の斜視図、図１７（ｂ）は電子機器３の各側面部２０、３０、４０、５０における検出領域を表している。
【００６１】
電子機器３は、図１７（ａ）（ｂ）に示すように、第１の実施形態の電子機器１と同様、前面部１０、側面部２０、３０、４０、５０及び背面部６０を有する。また、電子機器３は、側面部２０に、側面センサ１２２−１Ｒ（図１８参照）の検出領域１２２−１Ｒ、側面センサ１２２−２Ｒ（図１８参照）の検出領域１２２−２Ｒ、側面センサ１２２−３Ｒ（図１８参照）の検出領域１２２−３Ｒ、側面センサ１２２−４Ｒ（図１８参照）の検出領域１２２−４Ｒを有する。側面部３０、４０、５０についても同様である。
【００６２】
図１８は、電子機器３の機能ブロック図の一例である。電子機器３は、また、図１８に示すように、センサ部１０８、推定部２０４、操作受付部３００及び記憶部４００を備える。センサ部１００は、複数の側面センサ（側面センサ１２２−１、…、側面センサ１２２−４、側面センサ１３２−１、…、側面センサ１３２−４、側面センサ１４２−１、…、側面センサ１４２−４、側面センサ１５２−１、…、側面センサ１５２−４）から構成されている。
側面センサ１２２−１Ｒは、検出領域１２２−１Ｒ（図１７参照）への接触量に応じた検出値を推定部２０４及び操作受付部３００に出力する。他の側面センサについても同様である。
【００６３】
推定部２０４は、図１８に示すように、側面部認定部２１４及び指判定部２２０を備える。指判定部２２０は、第１の実施形態の電子機器１が備えるものと同様である。
側面部認定部２１４は、各側面センサ（側面センサ１２２−１、…、側面センサ１２２−４、側面センサ１３２−１、…、側面センサ１３２−４、側面センサ１４２−１、…、側面センサ１４２−４、側面センサ１５２−１、…、側面センサ１５２−４）から検出値を取得する。側面部認定部２１４は、各側面センサから取得した検出値に基づいて上述の第１側面部及び第２側面部側面部を認定する。
具体的には、側面部認定部２１４は、側面センサ毎の検出値を側面部単位に合算した側面部毎の検出値を算出し、検出値が最大の側面部を第１側面部と認定し、第１側面部に対向する側面部を第２側面部と認定する。具体的には、側面部認定部２１４は、側面部２０の検出値として側面センサ１２２−１、…、側面センサ１２２−４の検出値を合算し、側面部３０の検出値として側面センサ１３２−１、…、側面センサ１３２−４の検出値を合算し、側面部４０の検出値として側面センサ１４２−１、…、側面センサ１４２−４の検出値を合算し、側面部５０の検出値として側面センサ１５２−１、…、側面センサ１５２−４の検出値を合算し、各側面部の検出値を比較し、最大の検出値となった側面部を第１側面部と認定し、第１側面部に対向する側面部を第２側面部と認定する。
これにより、電子機器３は、第１、２の実施形態における電子機器１、２と同様、指を判定することができる。
【００６４】
なお、側面部認定部２１４は、側面部毎の検出値（側面部単位の側面センサの検出値の合算値）に加え、側面センサ毎の検出値に基づいて、第１側面部及び第２側面部を認定してもよい。例えば、右手で持った場合の各位置の側面センサの夫々の検出値の特徴を示す情報と、左手で持った場合の各位置の側面センサの夫々の検出値の特徴を示す情報とを保持しておき、側面センサ毎の検出値から電子機器３を持っている左右の手を判定し、第２の実施形態における電子機器２と同様、第１側面部及び第２側面部を認定してもよい。即ち、側面部認定部２１４は、側面部毎の検出値から、第１側面部及び第２側面部を仮認定し、側面センサの夫々の検出値から左右の手を判定し、仮認定の認定結果と左右の手の判定結果とが整合しているか否かを判断し、最終的に、第１側面部及び第２側面部を認定してもよい。
【００６５】
なお、第２の実施形態において、電子機器２が、背面部６０に、背面センサ１６１〜１６３の検出領域１６１Ｒ〜１６３Ｒを有する例、及び、背面センサ１６４〜１６７の検出領域１６４Ｒ〜１６７Ｒを有する例を説明したが、背面センサの数量、夫々の検出領域の形状は、これに限定されない。即ち、電子機器２は、背面部６０に、少なくともある１つの姿勢（例えば、側面部２０を上側にした姿勢）において、左右の手を判別可能な背面センサを有していればよい。
またに、第３の実施形態において、電子機器３が、各側面部２０、３０、４０、５０に、夫々、矩形の検出領域を４つずつ有する例を説明したが、各側面部の側面センサの数量、夫々の検出領域の形状は、これに限定されない。例えば、電子機器３は、側面部毎に、スライド方向に幅が異なる検出領域（例えば、図９の検出領域）を夫々が有する、２以上の側面センサを有していてもよい。
【００６６】
なお、第２の実施形態において、電子機器２は、背面センサによって左右の手を判別しているが、電子機器２は、背面部６０への接触又は接近によって上昇する温度（熱）を検知する温度センサを備え、温度センサによって左右の手を判別してもよい。即ち、側面部認定部２１２は、温度センサ、及び、加速度センサの検出値に基づいて、電子機器２を持っている左右の手を判別し、側面センサの検出値による第１側面部及び第２側面部の仮認定の認定結果と整合しているか否かを判断し、最終的に、第１側面部及び第２側面部を認定してもよい。
【００６７】
なお、本発明の実施形態による電子機器１〜３の処理を実行するためのプログラムをコンピュータ読み取り可能な記録媒体に記録して、当該記録媒体に記録されたプログラムをコンピュータシステムに読み込ませ、実行することにより、本発明の実施形態による電子機器１〜３に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フロッピー（登録商標）ディスク、光磁気ディスク、ＳＤカード、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００６９】
以上、この発明の実施形態について図面を参照して詳述してきたが、具体的な構成はこの実施形態に限られるものではなく、この発明の要旨を逸脱しない範囲の設計等も含まれる。
【符号の説明】
【００７０】
１、２、３…電子機器、１０…前面部、１１…表示部  ２０、３０、４０、５０…側面部  ６０…背面部  １００、１０２、１０４、１０６、１０８…センサ部  １２０、１２１、１２２、１３０、１３１、１３２、１４０、１４１、１４２、１５０、１５１、１５２…側面センサ  １６１、１６２、１６３、１６４、１６５、１６６、１６７…背面センサ  ２００、２０２、２０４…推定部  ２１０、２１２、２１４…側面部認定部  ２２０…指判定部  ３００…操作受付部  ４００…記憶部  
【図１】
0005879986.tif 000002
【図２】
0005879986.tif 000003
【図３】
0005879986.tif 000004
【図４】
0005879986.tif 000005
【図５】
0005879986.tif 000006
【図６】
0005879986.tif 000007
【図７】
0005879986.tif 000008
【図８】
0005879986.tif 000009
【図９】
0005879986.tif 000010
【図１０】
0005879986.tif 000011
【図１１】
0005879986.tif 000012
【図１２】
0005879986.tif 000013
【図１３】
0005879986.tif 000014
【図１４】
0005879986.tif 000015
【図１５】
0005879986.tif 000016
【図１６】
0005879986.tif 000017
【図１７】
0005879986.tif 000018
【図１８】
0005879986.tif 000019